Podtech/llm-jp-corpus-v4-ja_patent huggingface dataset:
(57)【要約】      （修正有）【課題】安価で、故障の可能性や故障時の修理の煩雑さを軽減した歩行ロボットを実現できるようにする歩行ロボット専用の歩行支援装置を提供する。【解決手段】歩行ロボットのロボット胴体２の後部に荷台１が固定されており、その荷台１の中央部には、この荷台１とその上に搭載される制御装置３を支えるための車輪４を設ける。荷台１にはロボットの制御装置３を載せ、この制御装置３の重量や配置位置の調整により、ロボット脚部５へ加わる荷重の調整を行う。また、制御装置３自体はロボット胴体２に取り付け、荷台１の上に搭載されるものは単なる「おもり」でもよい。【選択図】図１
0003153114.tif 000002
【実用新案登録請求の範囲】
【請求項１】
構造を、歩行ロボット専用に簡略化した事を特徴とする歩行支援装置
【考案の詳細な説明】
【技術分野】
【０００１】  この考案は、歩行ロボット専用の歩行支援装置の構造に関する。
【背景技術】
【０００２】  従来の歩行ロボットの構造は、図２に示すように、ロボットの脚部の上にロボットの胴体の荷重が加わるものであったが、後述するような課題が発生していた。
その問題に対しての解決手段のひとつとして、特許文献１に取り上げたようなシーソーの原理を用いた歩行支援装置を用いると言う方法が考えられる。
【先行技術文献】
【特許文献】
【０００３】
【特許文献１】  特開２００９−０３９２７３
【考案の概要】
【考案が解決しようとする課題】
【０００４】  上述の背景技術について、まずロボットの側の技術に関する問題を取り上げると、ロボットの胴体の重量によりロボットの脚部に大きな荷重がかかり、脚部を稼動させるサーボモーターに与える負荷が非常に高いため、搭載可能な装置の重量に大きな制限があったほか、ロボットの胴体を支えるための高いトルクを発生させる事のできるサーボモーターを用意する必要があり、この結果、サーボモーターは高度な技術を用いなければ製造ができず、整備や修理の際のサーボモーターの入手がしづらく、値段も高価なものであった。
一方、人体に用いる歩行支援装置については、従来は使用者の人体に対する配慮をする必要があるために構造が複雑になる傾向があったが、ロボットの場合には必ずしも人体に対するような配慮を行う必要は無いため、大幅に簡略化する事により信頼性や整備性を追及した構造を持つ歩行支援装置を搭載することが可能となる。
そこで、この考案では、信頼性・整備製を追求した歩行ロボット専用の歩行支援装置を考案し、従来の歩行ロボットと同じ程度、あるいはそれ以上の重量を持つ制御機器を搭載しつつも、安価で入手しやすいモーター及びギヤボックスを用い、さらに簡素な技術を用いて製作できるモーター制御用の装置を付加して搭載し、長期間、低コストで運用する事が可能な歩行ロボットを提供する事を課題とする。
【課題を解決するための手段】
【０００５】  以上の課題を解決するために、第一考案は、使用対象を歩行ロボットに限定し、可能な限り簡略化した事を特徴とする歩行ロボット専用歩行支援装置である。
【考案の効果】
【０００６】  第一考案によれば、ロボット胴体後部に取り付けられている歩行支援装置の車輪に荷重が分散し、更に車輪よりも後部の荷重がシーソーの原理によりロボットの脚部を持ち上げる働きをするため、従来と同等あるいはそれ以上の重量を持つ制御装置を搭載した場合でも、安価で入手しやすいモーター及びギヤボックスを用いて胴体を上下させる事が可能になり、さらにこのモーター及びギヤボックスにモーター制御用の装置を付加する事により、簡素な技術を用いた歩行ロボットの製作が可能となる。
また歩行支援装置自体は、制御装置を載せる荷台ともなる歩行支援装置本体と、本体中央に配置された車輪のみで構成されており、複雑な機構に起因する故障が発生しにくく、また故障時の修理の手間も省く事ができるようになる。
【図面の簡単な説明】
【０００７】
【図１】  この考案の一実施形態を示した側面図である。
【図２】  従来技術を示す側面図である。
【考案を実施するための形態】
【０００８】  この考案の一実施形態を図１に示す。
なお、歩行支援装置の本体となる部分は荷台としての働きもするため、ここでは「荷台１」と呼ぶ事にする。
歩行ロボットのロボット胴体２の後部に荷台１が固定されており、その荷台１の中央部には、この荷台１とその上に搭載される制御装置３を支えるための車輪４がつく。
具体的なイメージとしては、には「リヤカーの荷台の端に、ロボット胴体２が分離できないように固定されている」様な構造となっている。
そしてこの荷台１にはロボットの制御装置３を載せ、この制御装置３の重量や配置位置の調整により、ロボット脚部５へ加わる荷重の調整を行う。
この際、車輪４の真上を基準として、荷台１の上の制御装置３をロボット脚部５より遠ざけるとロボット脚部５を持ち上げる力が発生するが、場合によってはロボット脚部５が浮き上がって歩行不能になる事もあるため、この場合には荷台１の上の制御装置３をロボット脚部５の側へ移動させる事により、ロボット脚部５へ加わる荷重の調整を行う。
【実施例】
【０００９】「実施形態の効果」
この実施形態によれば、ロボット脚部５へ加わるはずであった荷重が車輪４に移動することによりロボット脚部５へ加わる負荷を減らす事ができ、さらに車輪４の取り付けられた位置よりも後ろ（ロボット脚部５より離れた位置）に配置した制御装置３の重量がシーソーの原理によりロボット脚部５を持ち上げる力となり、これによってもロボット脚部５へ加わる負荷を減らす事ができ、この簡素な機構を用いた結果としてロボット脚部５のモーターに求められるトルクを減らす事ができ、安価で入手しやすいモーター及びギヤボックス、さらにモーター制御に必要な機能を搭載する事もできるようになる。
加えて、歩行支援装置も簡略化されたため、故障の可能性や、故障時の修理の煩雑さも大幅に軽減することができるようになる。
「他の実施形態」
図１の実施形態では、荷台１の上に搭載されるものはロボットの制御装置３であったが、他の実施形態では、制御装置３自体はロボット胴体２に取り付け、荷台１の上に搭載されるものは単なる「おもり」でもよい。
【符号の説明】
【００１０】  ［配列表］
１  荷台
２  ロボット胴体
３  制御装置
４  車輪
５  ロボット脚部
【図１】
0003153114.tif 000003
【図２】
0003153114.tif 000004
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
荷台中央部に車輪が付き、荷台端部を歩行ロボットの胴体後部に固定して使用することを  特徴とした歩行支援装置
(57)【要約】      （修正有）【課題】根に多くの空気を必要とする着生蘭の根に空気の通りをよくし、植え込みが容易で植え込み材が安定し、害虫の進入を防ぐことが出来る植物栽培容器を提供する。【解決手段】植物栽培容器の底を容器内に盛り上げ、盛り上げた部分に穴を開け排水と空気の通りを良くすることで解決した。また、底面が容器内に盛り上がっているため植え込みが容易になり、容器の底穴からの害虫進入もない。【選択図】図１
0003153115.tif 000002
【実用新案登録請求の範囲】
【請求項１】
植物栽培容器の底面を容器内に高く盛り上げ、その盛り上げた部分に水や空気が通る穴をあけたもの。
【考案の詳細な説明】
【技術分野】
【０００１】
本考案は、ラン類など根に空気を多く必要とする植物に利用する。着生蘭の仲間である風蘭、石コク、名護蘭、バンダ、デンドロビユウムなどの好気性植物の栽培には特に効果がある。  
【先行技術文献】
【特許文献】
【０００２】
なし
【非特許文献】
【０００３】
なし
【考案の概要】
【考案が解決しようとする課題】
【０００４】
解決しようとする課題は、空気を多く必要とする植物において、従来の容器では根腐れを起こしやすい。そこで、容器の底を割って広げ、植え込み材料の中を中空にしている。このようにした場合、容器の底を割って広げる必要があり、また、植え込みがしにくいし、中の材料が安定せず落ちてきたりする。ナメクジなどの害虫も底から入ってくる。この点の課題を解決する。
【課題を解決するための手段】
【０００５】
本考案は、植物栽培容器の底穴を大きくし、底穴と同じ大きさの底面を持つ面を容器内に盛り上げ、その盛り上げた部分に水や空気が通る穴を開けることにより課題を解決することが出来た
【考案の効果】
【０００６】
本考案で栽培した植物の生育は良く根腐れしない。植物の植え込みも容易である。植え込み材料の落ち込みもなく害虫の進入も全く無い。
【図面の簡単な説明】
【０００７】
【図１】図１は本考案容器の断面図である。
【図２】図２は栽培容器内に盛り上がった部分の断面図である。
【考案を実施するための形態】
【０００８】
植物栽培容器は底に水抜き用の穴があいている。この底を容器の中に高く盛り上げ、水や空気が通りやすくした形態である。
【実施例１】
【０００９】
本考案のような物はないので、素焼きの植木鉢の底を割って広げ、それに網目状のもので作ったものを乗せて試作し使用した。結果は良好であった。
【産業上の利用可能性】
【００１０】
植物の栽培用の容器として利用出来る。
【符号の説明】
【００１１】
１    底高植物栽培容器の側面
２    容器内に盛り上がった部分
３    容器の底
４    容器内に盛り上がった部分に空いた穴
【図１】
0003153115.tif 000003
【図２】
0003153115.tif 000004
【手続補正書】
【提出日】平成21年6月22日(2009.6.22)
【手続補正１】
【補正対象書類名】実用新案登録請求の範囲
【補正対象項目名】全文
【補正方法】変更
【補正の内容】
【実用新案登録請求の範囲】
【請求項１】
植物栽培容器の底面を容器内に高く盛り上げ、その盛り上げた部分に水や空気が通る穴をあけた底高植物栽培容器
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
植物栽培容器の底面を容器内に高く盛り上げ、その盛り上げた部分に水や空気が通る穴をあけた底高植物栽培容器
(57)【要約】      （修正有）【課題】風呂水給水ポンプを内蔵したバスポンプ機能付き洗濯機の給水ホースの水抜きを簡単且つ迅速に行うことのできる給水ホースの提供する。【解決手段】風呂水給水ポンプを内蔵したバスポンプ機能付洗濯機の給水ホース２の洗濯機側Ｌ型継ぎ手４に、その継ぎ手の管内に連通する管体４ｅと、その管体の頂部に設けた気抜き孔を開閉する袋ナット状の気抜き栓４ａを螺合し、気抜き栓４ａを弛めることにより気抜き孔から給水ホースに空気を入れて給水ホース内の残留排水を迅速に排出できるように構成する。【選択図】図１
0003153146.tif 000002
【実用新案登録請求の範囲】
【請求項１】
風呂水給水ポンプを内蔵したバスポンプ機能付洗濯機１の給水ホース２の洗濯機側Ｌ型継ぎ手４に気抜き栓４ａを設けたことを特徴とする風呂水給水ホース。
【請求項２】
気抜き栓４ａは、Ｌ型継ぎ手４の管壁内に連通する管体４ｅの頂部に設けた気抜き孔を開閉する袋ナット状の蓋であって、管体４ｅ頂部の雄ネジと螺合する雌ネジを有することを特徴とする請求項１記載の風呂水給水ホース。
【考案の詳細な説明】
【技術分野】
【０００１】  この考案は、バスポンプ機能付き洗濯機の給水ホースに関し、特に洗濯機の使用後の風呂水給水用ホースからの排水を容易にするものである。
【背景技術】
【０００２】  最近の洗濯機においては、節水及び洗浄効果を目的として、例えば特許文献１に見られるような水道水を供給する給水口と風呂を利用するための風呂水給水ポンプを内蔵した所謂バスポンプ機能付き洗濯機の利用者が増えている。このような洗濯機の風呂水給水用ホースは、洗濯が終わるとバスタブから引き上げて洗濯機から抜き取り、どこかに収納するか、洗濯が終了した後に洗濯機の槽内にまるめて収納することを選択されるが、風呂給水用ホースの着脱は防水機能を有するゴムや合成樹脂のパッキングを使用しているため着脱操作に慎重さが必要であり、頻繁に取り外しを行えば例えば接続部分で風呂水給水ホースに損傷を生ずる恐れがあるので、できれば取り外さずに洗濯機の洗濯槽外にそのまま収納したいものである。
しかしながら、風呂水給水ホースは、ホース内の給水の残り水がスムーズに排水せず給水ホースを巻き取って洗濯槽内外に収納した後でも残溜水が流れ出して洗濯槽に溜り、完全に残溜水を抜くには時間が掛かり不便を感じていた。【０００３】
【先行技術文献】
【特許文献】
【０００４】
【特許文献１】特開平１１−１７９０９２号公報
【考案の概要】
【考案が解決しようとする課題】
【０００５】  この考案は、前記風呂水給水ポンプを内蔵したバスポンプ機能付き洗濯機の給水ホースの水抜きを簡単且つ迅速に行うことのできる給水ホースの提供を目的とするものである。
【課題を解決するための手段】
【０００６】  この考案は、風呂水給水ポンプを内蔵したバスポンプ機能付洗濯機の給水ホースの洗濯機側Ｌ型継ぎ手にその継ぎ手の管内に連通する管体と、その管体の頂部に設けた気抜き孔を開閉する袋ナット状の蓋と、前記管体頂部には前記袋ナットの雌ネジと螺合する雄ネジを設け、袋ナットを弛めることにより気抜き孔から給水ホースに空気を入れて給水ホース内の残溜水を迅速に排出できるようにしたものである。
【考案の効果】
【０００７】  この考案によれば、風呂水給水ポンプを内蔵したバスポンプ機能付き洗濯機の給水ホースの水抜きを簡単且つ迅速に行うことのできるので、洗濯機に風呂水給水ホースを付けたまま収納することができるので、ホースの洗濯機側のＬ型継ぎ手を破損することもない。
【図面の簡単な説明】
【０００８】
【図１】この考案の給水ホースのＬ型継ぎ手部の説明図である。
【図２】この考案の一実施形態説明図である。
【考案を実施するための形態】
【０００９】  以下、この考案の実施例に基づき説明する。
図２は、この考案の継ぎ手を使用した実施形態を示す説明図で、１はバスポンプ機能を内蔵した周知の洗濯機で、２は風呂水給水ホース、３は風呂水を満たした浴槽である。
風呂水給水ホース２の洗濯機側は、Ｌ型継ぎ手４を介して洗濯機に接続されており、他方の側にはフィルター２ａが設けられて、洗濯機への給水時には浴槽の水を濾しながら洗濯機へ給水するようになっている。
【００１０】  図１は給水ホースの洗濯機側に設けられたＬ型継ぎ手部の説明図である。給水ホース２の洗濯機側には、気抜き栓４ａと、係止レバー４ｂと、気密用樹脂製Ｏリング４ｃが設けられ、図２に示されるように洗濯機に接続して使用される。洗濯機の使用中は気抜き栓４ａは、空気が漏れないようにきつく締め付けられているものとする。
【００１１】  Ｌ型継ぎ手４は、図１に見られるように、その継ぎ手の管内に連通する管体４ｅと、その管体４ｅの頂部に設けた気抜き孔（図示せず）を開閉する袋ナット状の蓋から構成される気抜き栓４ａを有し、前記管体４ｅの頂部には前記袋ナット状の蓋からなる気抜き栓４ｅの内側に設けられた雌ネジと螺合する雄ネジが設けられている。この気抜き栓４ｅの原理構成は特に説明するまでもなく、石油ストーブの手動式の給油ポンプなどで周知の構造を有するものである。
【００１２】  したがって、洗濯が終わったら、給水ホースを風呂の浴槽から引き上げ、給水ホース２のフィルター２ａ側を風呂場の流し場に置いた儘気抜き栓４ｅを弛めると、ホース内に溜っていた残溜水がたちまちの内に排出されるので、給水ホースを巻き取ってホースを洗濯機から取り外すことなく、そのまま洗濯機の洗濯槽内外に水垂れすることなく、まるめて収納することができる。
【符号の説明】
【００１３】      １・・・バスポンプ機能付き洗濯機
２・・・給水ホース
２ａ・・フィルター
３・・・浴槽
４・・・Ｌ型継ぎ手
４ａ・・気抜き栓
４ｂ・・係止レバー
４ｃ・・Ｏリング
４ｅ・・管体
【図１】
0003153146.tif 000003
【図２】
0003153146.tif 000004
(57)【要約】      （修正有）【課題】疑似餌に簡単に装着可能な化粧殻を装着する事で、多様な疑似餌を作る事が出来るおもり疑似餌の瞬時交換化粧殻を提供する。【解決手段】瞬時交換用疑似餌化粧殻９ａと９ｂは、左右の殻の各々は片側ずつでペアからなり、それぞれ片側に各々別々の色と模様で作られ、該おもり疑似餌８本体に該瞬時交換用疑似餌化粧殻９ａと９ｂを装着し、該瞬時交換用疑似餌化粧殻９ａと９ｂの上下には化粧殻固定部とを装備し、該化粧殻固定部には化粧殻留めピン穴１２ａと１２ｂが設けられ、該化粧殻留めピン穴１２ａと１２ｂに化粧殻留めピン１１ａと１１ｂを挿入してしっかりと該瞬時交換用疑似餌化粧殻９ａと９ｂを固定する。【選択図】図３
0003153142.tif 000002
【実用新案登録請求の範囲】
【請求項１】
魚を釣るための誘いおもり疑似餌８であり、該おもり疑似餌８の本体は海中にての水抵抗を小さくするために、比重の高い高価な金属材料から作られ、そしてより効率良い釣果を得るために、その時々の釣り場環境に合わせておもり疑似餌８の本体色やフックシステム４を絶えず変える必要があるため、そこで本考案のおもり疑似餌８本体に、本考案の片側瞬時交換用疑似餌化粧殻９ａと９ｂとをはめることと、該各々の片側瞬時交換用疑似餌化粧殻９ａと９ｂに各々別々の色と模様で化粧されることによって、該おもり疑似餌８本体は左右がそれぞれ別々の色や姿で出現することと、該本考案の片側瞬時交換用疑似餌化粧殻９ａと９ｂをそれぞれ多様の色や模様のもの多数個持っていれば、その時々に瞬時模様交換可能なことと、各々の片側瞬時交換用疑似餌化粧殼９ａと９ｂに簡易なワンタッチピン止めによって簡単に外し換え可能な構造からなること、とを特徴とするおもり疑似餌の瞬時交換疑似餌化粧殻。
【考案の詳細な説明】
【考案の詳細な説明】
【考案が解決しようとする課題】
【０００１】  従来のおもり疑似餌１には、図１で示すように各々の本体に初めから固定された色と模様で化粧されるため、釣果を上げるためにその時々の釣り場の環境や状況などに合わせ該おもり疑似餌１の模様替えなどを行い海中の魚を誘う工夫をする。しかし、該おもり疑似餌１は通常高価の材料で作られ、且つ重いので、数多く持ち運ぶ釣り人が少ない。また、例えば、その時に「金色ベースの黒、通称クロキン」が釣れているのに、しかし自分はその色がない、せっかくの釣りなのに釣果が悪く、全く楽しめなくなる。
【考案が解決するための手段】
【０００２】  そこで、図３と図４とで示す本考案のおもり疑似餌８本体に、本考案の片側瞬時交換用疑似餌化粧殻９ａと９ｂを装着することによって、瞬時的に該おもり疑似餌８本体の色模様が交換できる。また、図５で示すように該おもり疑似餌８は左右それぞれ違う模様で実現することが可能になる。また、本考案の瞬時交換用疑似餌化粧殻９ａと９ｂはプラスチック成形品なので、とっても軽く該おもり疑似餌８本体の１５分の１の軽さなので、色違いの殻をたくさん持ち運ぶことが可能になり、釣り場の環境に合わせ多様多彩の釣りを楽しむことが可能になり、釣果が良く経済的である。また、全体の重さが軽くなり移動も安定になり安全性も良くなる。
【実施例】
【０００３】  本考案に係わる瞬時交換用疑似餌化粧殻９ａと９ｂは、図４で示すように左右の殻の各々は片側ずつでペアからなり、それぞれ片側に各々別々の色と模様で作られ、該おもり疑似餌８本体に該瞬時交換用疑似餌化粧殻９ａと９ｂを装着し、該瞬時交換用疑似餌化粧殻９ａと９ｂの上下には化粧殻固定部１０ａと１０ｂとを装備し、該化粧殻固定部１０ａと１０ｂには化粧殻留めピン穴１２ａと１２ｂが設けられ、該化粧殻留めピン穴１２ａと１２ｂに化粧殻留めピン１１ａと１１ｂを挿入してしっかりと該瞬時交換用疑似餌化粧殻９ａと９ｂを固定する。そして該おもり疑似餌８の本体にはそれぞれの左右側は別々の色や雰囲気で出現する。また、該瞬時交換用化粧殻９ａと９ｂはプラスチック成形品なので、重さがおもり疑似餌８本体のおよそ１５分の１の軽さなので、また値段も安く、多様多彩の色や模様のもの複数個を携帯することによって、釣りの選択幅が広くなる。
【考案の効果】
【０００４】  本考案のおもり疑似餌８本体とその瞬時交換用疑似餌化粧殻９ａと９ｂを用いることによって、従来のように良い釣果を得るために高価且つ重い該おもり疑似餌１複数個を携帯し、例えば１０色が必要ならば１０個の該おもり疑似餌１を携帯しなければならないような不経済的な釣りが必要無くなる。また１個の重さは１２０ｇであれば、１０個を携帯すると１．２ｋｇになりとっても重くて重労働になるし、歩く時も不安定になり安全性が悪い。そこで、本考案のおもり疑似餌８本体とその瞬時交換用疑似餌化粧殻９ａと９ｂを用いれば、該おもり疑似餌８本体が３個と、該片側瞬時交換用疑似餌化粧殻９ａと９ｂを上記と同じく１０色持って、合計重さは従来のおもり疑似餌１半分以下の重さも満たなく、とっても身軽くなるし、色々な釣りの楽しさを堪能できる。
【図面の簡単な説明】
【図１】  従来のおもり疑似餌セットを示す図
【図２】  本考案のおもり疑似餌セットを示す図
【図３】  本考案の瞬時交換用化粧殻セットを示す右側面図
【図４】  本考案の瞬時交換用化粧殻セットを示す正面図
【図５】  本考案の瞬時交換用化粧殻セットを装着後の錘疑似餌を示す図
【符号の説明】  １  従来のおもり疑似餌
２  リーダー結びリング
３  糸固定留め
４  フックシステム
５ａ  釣り針ａ
５ｂ  釣り針ｂ
６  疑似餌本体を通す糸の穴
７  リーダー
８  本考案のおもり疑似餌
９ａ  本考案の片側瞬時交換用疑似餌化粧殻
９ｂ  本考案のもう片側瞬時交換用疑似餌化粧殻
１０ａ  化粧殻の片方固定部ａ
１０ｂ  化粧殻のもう片方固定部ｂ
１１ａ  化粧殻留めピンａ
１１ｂ  化粧殻もう片方留めピンｂ
１２ａ  化粧殻留めピン穴ａ
１２ｂ  化粧殻もう片方留めピン穴ｂ
【図１】
0003153142.tif 000003
【図２】
0003153142.tif 000004
【図３】
0003153142.tif 000005
【図４】
0003153142.tif 000006
【図５】
0003153142.tif 000007
(57)【要約】      （修正有）【課題】河川の流れのあるへら鮒釣りの釣場の水底に安定して止まりエサの落ち着く平面中通しオモリ軸を提供する。【解決手段】ミチ糸通し口２，３を備えた中通しオモリ軸１に平面部５，６を備えた平面オモリ４を固着させた構成にしたことにより、河川の流れのあるへら鮒釣りの釣場の水底に平面中通しオモリ軸は安定した止まりでエサが落ち着き、それがへら鮒のアタリに反映して釣果の向上につながる効果がある。【選択図】図１
0003153148.tif 000002
【実用新案登録請求の範囲】
【請求項１】
ミチ糸通し口を備えた中通しオモリ軸に平面部を備えた平面オモリを固着させた構成にしたことを特徴とする平面中通しオモリ軸。
【考案の詳細な説明】
【技術分野】  本考案は、中通しオモリ軸に平面部を備えた平面オモリを固着させた平面中通しオモリ軸に関するものである。
【背景技術】  従来、河川の流れのあるへら鮒釣りの仕掛けオモリは、おもに中通しオモリ軸に板オモリを巻き円柱形にしたものやメガホンの形をしたなす型外通しオモリが使われている。
【考案の開示】
【考案が解決しようとする課題】  それらは、河川の流れのあるへら鮒釣りの釣場の水底に仕掛けオモリが流れに止まる重量にして置くことで、エサを落ち着ける。しかし、中通しオモリ軸に巻いた板オモリは円柱形であり、なす型外通しオモリはメガホンの形から両方とも流れにころがりやすい形状をしている。そこで流れの強さによっては、中通しオモリ軸に必要以上に板オモリを多く巻いたり、なす型外通しオモリは重量の大きなものに取りかえる。とくに、なす型外通しオモリは水流に対し不自然な流れかたをしてハリスが仕掛けオモリとからみ、それを直す時間は釣りのリズムをみだすことから、なす型外通しオモリはおのずと重くする問題があった。
【課題を解決するための手段】  本考案は、ミチ糸通し口を備えた中通しオモリ軸に平面部を備えた平面オモリを固着させた構成にしたことを特徴とする平面中通しオモリ軸を提供するものである。
【考案の効果】  上述の様に、ミチ糸通し口を備えた中通しオモリ軸に平面部を備えた平面オモリを固着させた構成にしたことにより、河川の流れのあるへら鮒釣りの釣場の水底に平面中通しオモリ軸は、板オモリを巻いた中通しオモリ軸やなす型外通しオモリより軽い重量で安定して止まりエサが落ち着く、それがへら鮒のアタリに反映して釣果の向上につながる効果がある。また、本考案の平面中通しオモリ軸に通してあるミチ糸に、平面中通しオモリ軸は一直線上にあり、竿の振り込みにおける仕掛けオモリとハリスのからみ防止にも役立つ。
【考案を実施するための最良の形態】  ミチ糸通し口を備えた中通しオモリ軸に、河川の流れのあるへら鮒釣りの釣場の水底で安定して止まりエサの落ち着く平面部を備えた平面オモリを固着させたもの。
【実施例】  以下、添付図面にしたがって一実施例を説明する。ミチ糸の流動性を高めるプラスチックのミチ糸通し口２、３を備えた中通しオモリ軸１に、銅、鉛などの合金素材の丸棒加工や鋳造で小判形の二面の平面部５、６を備えた平面オモリ４に通し穴をあけ、前記通し穴に中通しオモリ軸１を通し固着させた平面中通しオモリ軸にミチ糸７を通し、上下にオモリ止めゴム８、９で挟み止めをし、ミチ糸の下方にヨリモドシを介してハリス１０、１１を付ける。なお、前記のミチ糸通し口以外に従来のラッパ形通し口加工の中通しオモリ軸でもよい。また、丸棒加工や鋳造から三角面、四角面、五角面、六角面などの多面の平面部を備えた平面オモリ等を中通しオモリ軸１に固着させることも可能である。
【図面の簡単な説明】
【図１】本考案の平面中通しオモリ軸の実施例を示した斜視図である。
【符号の説明】    １  中通しオモリ軸
２、３  ミチ糸通し口
４  平面オモリ
５、６  平面部
７  ミチ糸
８、９  オモリ止めゴム
１０、１１  ハリス
【図１】
0003153148.tif 000003
(57)【要約】      （修正有）【課題】主に、スズメ蜂の巣を適確かつ安全に採取できることを目的とするスズメ蜂の営巣採取器を提供する。【解決手段】袋網２と、角度調整部３と、ポール４と、により大略構成されているスズメ蜂の営巣採取器であって、前記袋網は、スズメ蜂が容易に逃出しない程度の網目を有するビニール製網と、該ビニール製網の網目に通挿され、器外からの引張り操作によって前記袋網（ビニール製網）の手操り上げを可能にするワイヤーと，前記袋網の開口側をクリップ止めするためのアルミ製口輪（アルミ製リング）と、から構成され、前記角度調整部は、前記袋網のアルミ製口輪（アルミ製リング）に溶接等の手段により関着され、該角度調整部は、コの字形金具主体と、固定螺子等によって構成され、該コの字形金具主体内には伸縮性自在構造のポールの上端が冠着し、該ポールの上端は、前記固定螺子によって固定保持され、該固定螺子の螺子頭の締め加減によって、前記袋網の角度調整を可能にすることを特徴としている。【選択図】図１
0003153149.tif 000002
【実用新案登録請求の範囲】
【請求項１】
袋網と，角度調整部と，ポールと、により大略構成されているスズメ蜂の営巣採取器であって、前記袋網は、スズメ蜂が容易に逃出しない程度の網目を有するビニール製網と，該ビニール製網の網目に通挿され、器外からの引張り操作によって前記袋網の手操り上げを可能にするワイヤーと，前記袋網の開口側をクリップ止めするためのアルミ製口輪と、から構成され、前記角度調整部は、前記袋網のアルミ製口輪に溶接等の手段により関着され、該角
0003153149.tif 000006
主体内には伸縮性自在構造のポールの上端が冠着し、該ポールの上端は、前記固定螺子によって固定保持され、該固定螺子の螺子頭の締め加減によって、前記袋網の角度調整を可能にすることを特徴としたスズメ蜂の営巣採取器。
【考案の詳細な説明】
【考案の詳細な説明】
【技術分野】
【０００１】  本考案は、主にスズメ蜂の営巣採取器に関するものである。
【背景技術】
【０００２】  土中、樹木の空洞，家屋の軒下や外壁面などに大型の巣をつくり、時に人畜を攻撃するスズメ蜂の巣の駆除作業には常に危険や労苦が伴うものであり、特に、高所の営巣の駆除作業に当っては、防護服を着用して梯子に上り、巣に対して化学駆除剤などを散布してスズメ蜂を弱らせ、金属製のヘラ等で巣を掻き取り、これを準備した袋網の中に入れて排棄していた。【０００３】  即ち、従来の営巣駆除作業（採取作業）にあっては、防護服の着用が不可欠であるため、非常に暑い上にスズメ蜂が散乱してしまうといった危険性があり、しかもスズメ蜂の巣と、この巣に寄生するスズメ蜂とを一網打尽的に駆除するには難点があった。
【考案の開示】
【考案が解決しようとする課題】
【０００４】  本考案は、上述のような諸般の実情に鑑みなされたもので、その目的とするところは、スズメ蜂の営巣取除作業（採取作業）に際し、防護服の着用，梯子の設置使用，薬剤散布を不用にして巣ごとそっくり迅速で確実かつ安全に取去でき得るように工夫されたスズメ蜂の営巣採取器を提供するにある。
【課題を解決するための手段】
【０００５】  上記目的を達成する本考案は、袋網と，角度調整部と，ポールと、により大略構成されているスズメ蜂の営巣採取器（以下、単に採取器という。）であって、前記袋網は、スズメ蜂が容易に逃出しない程度の網目を有するビニール製網と，該ビニール製網の網目に通挿され、器外からの引張り操作によって前記袋網（ビニール製網）の手操り上げを可能にするワイヤーと，前記袋網ビニール製網の開口側をクリップ止めするためのアルミ製口輪（アルミ製リング）と、から構成されることを特徴としている。【０００６】  前記角度調整部は、前記袋網のアルミ製口輪（アルミ製リング）に溶接
0003153149.tif 000003
し、該ポールの上端は、前記固定螺子によって固定保持され、該固定螺子の螺子頭の締め加減によって、前記袋網の角度調整を可能にしている。【０００７】  そして、本考案に係る採取器の使用によって、スズメ蜂の巣を採取するときはスズメ蜂の巣の高さ位置にポールを調節し、かつ、スズメ蜂の巣の位置に袋網の開口側が合致するよう袋網の設定角度を調整し、スズメ蜂の巣に対し、袋網を被せた状態のもとで器外に導出するワイヤー，すなわち、袋網（ビニール製網）の網目に通挿され、器外からの引張り操作によって袋網（ビニール製網）の手操り上げを可能にするワイヤーを、図１に示す矢示方向に引張ると、袋網（ビニール製網）の中にスズメ蜂の巣と、該巣に寄生するスズメ蜂を一匹残らず採取することができる。
【考案の効果】
【０００８】  本考案は請求項１記載の解決手段で実施されるから、スズメ蜂の巣と、これに寄生するスズメ蜂を一網打尽的に採取することができる。
また、採取作業に当っては防護服の着用や梯子の使用等が不要となるから、スズメ蜂の営巣駆除作業（採取作業）を楽に行なうことができると共に、採取作業に当っては、蜂の散乱による危険性を解消し、作業の安全化を確保することができる。
【課題を実施するための最良の形態】
【０００９】  本考案の実施形態を図１，図２，図３に基づき説明する。
【００１０】  図面符号１は、本考案に係る採取器を示し、該採取器１は袋網２と、角度調整部３とポール４と、により大略構成されていて、前記袋網２は、ビニール製網５と、該ビニール製網５の網目に通挿され、かつ、器外からの引張り操作によって袋網２（ビニール製網５）の手操り上げを可能にするワイヤー６と、前記袋網２（ビニール製網５）の開口側をクリップ止め７するアルミ製口輪（アルミ製リング）８と、から構成される。
【００１１】  前記角度調整部３は、前記袋網２（ビニール製網５）のアルミ製口輪８
0003153149.tif 000004
が冠着し、該ポールの上端は、固定螺子１０によって固定保持され、そして、固定螺子１０の螺子頭１１の締め加減によって、前記袋網２（ビニール製網５）の角度調整を可能にしている。
【図面の簡単な説明】
【図１】  本考案に係る採取器の概略構造を示す平面図である。
【図２】  本考案に係る採取器の概略構造を示す側面図である。
【図３】  袋網と角度調整部との関着構造説明図である。
【符号の説明】１    採取器
２    袋網
３    角度調整部
４    ポール
５    ビニール製網
６    ワイヤー
７    クリップ止め
８    アルミ製口輪
0003153149.tif 000005
１０  固定螺子
１１  螺子頭
【図１】
0003153149.tif 000007
【図２】
0003153149.tif 000008
【図３】
0003153149.tif 000009
(57)【要約】【課題】一目で薬の分別ができて、薬の出し入れが簡単で、手に優しくコンパクトで外出時（出張、旅行）に必要な量の薬、サプリメントが収納できる薬入れを提供することを課題とする。【解決手段】二つ又は三つ折り可能な長方形のシートの内側に透明性を有する合成樹脂製の薬入れを複数個取り付け、各袋の開口部をファスナーで開閉可能としたことを特徴とする携帯用薬入れ。【選択図】図１
0003153147.tif 000002
【実用新案登録請求の範囲】
【請求項１】
二つ又は三つ折り可能な長方形のシートの内側に透明性を有する合成樹脂製の薬入れを複数個取り付け、各袋の開口部をファスナーで開閉可能としたことを特徴とする携帯用薬入れ。
【考案の詳細な説明】
【技術分野】
【０００１】  本考案は薬やサプリメントの服用者が外出時（出張、旅行なども含む）に携帯する薬、サプリメントを入れる薬入れに関するものである。
【背景技術】
【０００２】  従来、薬、サプリメントを入れる薬入れとしては、プラスチックで成形された四角形または丸型の硬い蓋付きのケース、または実用平７−４２６４２号公報のような薬入れが提案されている（実用新案  文献１参照）。【０００３】  この様に、薬入れは従来より種々存在するが、これらは、薬を朝、昼、夕、夜寝る前と分けていたり、プラスチックの容器は硬く、また嵩張るものが多かった。また、薬を種類別に収納し、１０日前後の外出に必要な量を携帯できるソフトでコンパクトな薬入れは存在しなかった。
【先行技術文献】
【０００４】
【実用新案文献１】
実開平７−４２６４２号公報
【考案の概要】
【考案が解決しようとする課題】
【０００５】  携帯する薬の量としては、一応１０日分前後の量をカバンまたはバッグに入れて持ち歩くことが多い。しかし、従来の薬入れはプラスチック成型で、ふたの開閉が面倒な硬い容器か、または朝、昼、夕、夜寝る前と１日分毎に分けたものを１週間またはそれ以上の日数分を集積しているため、嵩張って携帯には不向きであった。【０００６】  そこで本考案は、一目で薬の分別ができて、薬の出し入れが簡単で、手に優しく、コンパクトで外出時（出張、旅行）に必要な量の薬、サプリメントが収納できる薬入れを提供することを課題とする。
【課題を解決するための手段】
【０００７】  本考案は、上記の課題を解決するために、以下の技術的手段を講じた。
すなわち、本考案に係る携帯用薬入れは、二つまたは三つ折りの長方形のシートの内側に、透明性を有する合成樹脂製の薬入れ袋を複数個取り付けたものである。袋はファスナーで開閉できる構成になっている。袋は数ｍｍ間隔で取り付け、薬やサプリメントを取り出しやすく配列してある。
【考案の効果】
【０００８】  この構成により、薬やサプリメントを種類別に独立した袋に収納できる。このため、ファスナーを開けなくても外部より一目で薬の種類の見分けがつく。また、シートを二つまたは三つ折りにすることでコンパクトになり、携帯に便利である。【０００９】  さらに、シートの内側に複数個のポケットを設置することで、保険証や薬メモ、診察券を収納することができる。【００１０】  本校案によれば、薬またはサプリメントを種類別に１０日分前後の量をコンパクトに携帯出来て、薬の出し入れも容易である。
【図面の簡単な説明】
【００１１】
【図１】  本考案の実施例の薬入れの斜視図である。
【図２】  図１の薬入れを三つ折りにした状態を示す斜視図である。
【図３】  本考案の二つ折りにする薬入れの他の実施例の斜視図である。
【考案を実施するための形態】
【００１２】  以下、図面と参照しながら本考案の実施の形態を実施例によって説明する。
図１〜２に示すように、実施例の薬入れ１は、三つ折りの長方形のシート２の内側に合成樹脂シート製の透明な袋３を取り付けたものである。袋は上部のファスナー４で開閉できる構成になっている。袋の下部を数ｍｍ間隔で取り付け、薬やサプリメントを取り出し易く配列してある。
長方形のシート２を三つ折りにして、留め具６で留めれば、コンパクトに携帯することができる。
【００１３】  長方形のシート２には、合成樹脂シート製のポケット５を装着し、保険証、お薬メモや診察券を入れることができる。
【００１４】  透明性を有する袋３の装着場所は、三つ折りシート２のいずれの場所であってもよい。
【００１５】  三つ折りの長方形のシートを図３のように、二つ折りとしてもよい。
【００１６】  透明な袋につけるファスナーをそれぞれ異なった色にしてもよい。
【００１７】  薬を服用する際に、他の人に薬の種類を判別されないように、薬を入れる袋を、半透明または不透明な合成樹脂シート製にしてもよい。
【符号の説明】
【００１８】    １    薬入れ
２    長方形のシート
３    透明な袋
４    ファスナー
５    ポケット
６    留め具
【図１】
0003153147.tif 000003
【図２】
0003153147.tif 000004
【図３】
0003153147.tif 000005
(57)【要約】      （修正有）【課題】ガラス瓶等の容器のキャップ及びリングを、容器の使用者が容易に離脱でき、分別処理できるキャップ及びリングの離脱手具を提供する。【解決手段】テコの原理を応用して、本手具の本体１の屈曲形板部１ａをキャップ３のスカート部５ｃに差し込みながらＬ形板部１ｂでキャップ上部を押さえ、手具本体１の他端を持ち上げれば、キャップ３が容器５から容易に離脱する。又、手具本体１の中央付近から傾斜した差し込み板部をリングに差し込むと本手具のフランジ部が容器５の大径フランジ部に当たることにより手具の円滑回転を生じ、リングが弛緩して容器５から離脱し、分別処理に役立つ。【選択図】図４
0003153163.tif 000002
【実用新案登録請求の範囲】
【請求項１】
本体に屈曲形板部とＬ形板部を設けるとともに、本体の中央付近から傾斜した平形板部とフランジ部を設けたことを特徴とした離脱手具。
【考案の詳細な説明】
【技術分野】
【０００１】  本考案は、三つの異形状の板部とフランジ部を設けて、一体形成された長尺状の離脱手具に関するものである。
【背景技術】
【０００２】  ネジ式以外の普及率が高いガラス瓶等のキャップの離脱やネジ式キャップの除去後に残るリングの離脱は、家庭等で非力な人が刃物やプライヤーなどの工具を使用して困難でかつ危険な分別処理をしている。
【先行技術文献】
【特許文献】
【０００３】
【特許文献１】実登０２−３０９１７４８号  公報
【特許文献２】実登０５−３１０８０８８号  公報
【非特許文献】
【０００４】
【非特許文献１】
【非特許文献２】
【考案の概要】
【考案が解決しようとする課題】
【０００５】  ガラス瓶等のキャップ及びリングの離脱は、安全面的、時間的、労働的負担である。従って、テコの原理を応用した長尺状の手具にすることにより、家庭等でガラス瓶等のキャップ及びリングの離脱を容易にし、前述の点を解決しようとするものである。
【課題を解決するための手段】
【０００６】  本考案は、屈曲形板部の形状により、キャップ本体のスカート部に差し込め、且つ、Ｌ形板部がキャップの上部を押さえて確実に固定し、本手具の他端を持ち上げることで、キャップを容器から容易に離脱できることと、手具本体の中央付近から傾斜した平形板部をリングに差し込むと、本手具のフランジ部が容器の大径フランジ部に当たり、手具の円滑回転を生じ、リングが弛緩して容器から離脱できることにより、問題点を解決している。
【考案の効果】
【０００７】  上述の如く本考案の離脱手具は、手具本体の屈曲形板部とＬ形板部でキャップを容器から離脱し、且つ、平形板部とフランジ部で容易にリングを容器から離脱できることにより、離脱作業における安全面的、時間的及び、労働的負担を著しく軽減する。
【図面の簡単な説明】
【０００８】
【図１】本考案のキャップ及びリング離脱手具の斜視図である。
【図２】本考案のキャップ及びリング離脱手具の正面図である。
【図３】本考案のキャップ及びリング離脱手具の平面図である。
【図４】本考案の一実施例の要部の使用態様を示す一部縦断斜視説明図である。
【図５】本考案の一実施例の要部の使用態様を示す斜視説明図である。
【考案を実施するための形態】
【０００９】  手具本体の屈曲形板部がキャップのスカート部に差し込まれると同時に、Ｌ形板部でキャップの上部を押さえて確実に固定し、本手具の他端を持ち上げることで、キャップが容器から離脱する。又、手具本体の中央付近から傾斜した平形板部をリングに差し込むと、本手具のフランジ部が、容器の大径フランジ部に当たり手具の円滑回転を生じ、リングが弛緩して容器から容易に離脱する。
【実施例】
【００１０】  添付図面（図４）に従って、一実施例を説明する。３は、縦断面で図示したガラス瓶等の容器５の上蓋２つきキャップで、本考案の離脱対象物の一つである。１は耐久性のある適宣素材にて一体的形成された手具本体で、屈曲形板部１ａをキャップ３のスカート部５ｃに差し込み、且つ、Ｌ形板部１ｂでキャップの上部を押さえながら他端を持ち上げることで、キャップ３が容器５から容易に離脱する。【００１１】  添付図面（図５）に従って、一実施例を説明する。４は、容器５の大径フランジ部５ａと小径フランジ部５ｂとの間に挟み込まれたリングで、本考案の離脱対象物の一つである。平形板部１ｃがリング４に差し込むと、本手具のフランジ部１ｄが容器５の大径フランジ部５ａに当たり、手具の円滑回転を生じることで、リング４が弛緩し容器５から容易に離脱する。
【符号の説明】
【００１２】  １  手具本体    １ａ  屈曲形板部    １ｂ  Ｌ形部    １ｃ  平形板部    １ｄ  フランジ部  ２  上蓋  ３  キャップ  ４  リング  ５  容器    ５ａ  大径フランジ部    ５ｂ  小径フランジ部    ５ｃ  スカート部
【図１】
0003153163.tif 000003
【図２】
0003153163.tif 000004
【図３】
0003153163.tif 000005
【図４】
0003153163.tif 000006
【図５】
0003153163.tif 000007
(57)【要約】      （修正有）【課題】下水処理場の浄化槽等の上面をカバーした防虫ネットの隙間から外部に逃げたユスリカを再度ネットの中央に誘引し、殺虫効果を向上させた下水処理場用防虫ネットを提供する。【解決手段】ユスリカを通過させない目をもつ殺虫剤含浸ネット２の中央部に、殺虫剤含浸ネットの面積の１〜１０％程度に発光塗料を片面もしくは両面に施すか、もしくは発光塗料を施したシート３を設けて、下水処理場用防虫ネットを構成する。【選択図】図２
0003153169.tif 000002
【実用新案登録請求の範囲】
【請求項１】
ユスリカを通過させない目をもつ殺虫剤含浸ネットの中央部に、殺虫剤含浸ネットの面積の１〜１０％程度に発光塗料を片面もしくは両面に施すか、もしくは発光塗料を施したシートを設けたことを特徴とする下水処理場用防虫ネット。
【考案の詳細な説明】
【技術分野】
【０００１】  本考案は、ユスリカの防除に関する下水処理場防虫ネットに関するものである。
【背景技術】
【０００２】  従来、下水処理場において発生するユスリカの駆除方法には、
▲１▼  薬剤を散布する方法、
▲２▼  ユスリカが通過しない目を有するネットで、浄化槽を隙間無く覆う方法、
▲３▼  殺虫剤含浸ネットを水面と平行に張り、ユスリカを殺虫させる方法、
が用いられている。
【考案の概要】
【考案が解決しようとする課題】
【０００３】  ところが、
▲１▼は、薬剤をまくので環境汚染の原因になるとして嫌われる。
▲２▼は、浄化槽の周囲は柵や機材があり、隙間無く覆うことは困難である。
▲３▼は、殺虫剤を含浸させたネットを使用するので防除効果は大きいが、ロープを介してネットを張るので、側壁との間に隙間が生じてしまう。そのために、ユスリカがこの隙間から外部に飛散する。（図１、図４）
また、ネットに触れたユスリカは直ちに死なず周囲を飛び回り、その内に隙間から外部に出てしまう可能性があり、防虫効果が損なわれる。
このようにユスリカの防除について様々な問題点が顕在するが、本考案は、特に上記▲３▼における問題点を解決した下水処理場用防虫ネットである。
【課題を解決するための手段】
【０００４】  この問題点を解決するために、殺虫剤含浸ネットの中央部（面積の１〜１０％程度）の片面もしくは両面に発光塗料を施すか、発光塗料を施したシートを設ける。ここで言う発光塗料は蓄光塗料を含む。
本考案は以上の構成からなる下水処理場防虫ネットである。
【考案の効果】
【０００５】  この結果、水面側に発光した光は浄化槽から飛来してきたユスリカを殺虫剤含浸ネット内側の中央に誘引し、ネットの隙間からユスリカが出るのを減少させ、外面に発した光は、ネットの隙間から出てきたユスリカは、ネット上に誘引され殺虫剤含浸ネットに接触する。
これにより、浄化槽外部へのユスリカの飛散を抑えるとともに、殺虫剤含浸ネットにユスリカが接触する機会が増加し、防除効果は一段と向上する。
【図面の簡単な説明】
【０００６】
【図１】従来のユスリカ防除方法の説明図
【図２】本考案の実施例図
【図３】本考案の他の実施例図
【図４】従来の殺虫含浸ネットの説明図
【考案を実施するための形態】
【０００７】  以下、本考案の実施の形態について説明する。
【実施例１】
【０００８】  ユスリカ（１）を通過させない目をもつ殺虫剤含浸ネット（２）の中央部に、殺虫剤含浸ネット（２）の面積の１〜１０％程度に発光塗料を片面もしくは両面に施すが、もしくは発光塗料を施したシート（３）を設ける。ここで言う発光塗料は蓄光塗料を含むことは当然である。【０００９】  上記の殺虫剤含浸ネット（２）を下水（４）の水面（５）と平行に張る。張り方は浄化槽（６）の側壁（７）の上部の柵（８）にロープ（９）で縛るか、新たに支柱を側壁（７）の上部に設けて縛ってもよい。張りにくい場合は、この場所に張るのに適したネットを補助に使用してもよい。補助に使用するネットの目は、光を妨げない様に出来るだけ大きい方が良い。【００１０】  発光塗料を塗布する場合は、殺虫剤含浸ネット（２）を張る前に十分に塗布する。発光塗料を、施したシート（３）を使用する場合は、強力な接着剤を用いるもしくは縫着するなどして固着する。
なお、発光塗料を塗布する部分及びシート（３）を殺虫剤含浸ネット（２）の面積の１〜１０％程度とした理由は、殺虫剤含浸ネット（２）の効果をより有効性に保ことである。つまり、発光塗料を塗布する部分及びシート（３）の大きさが殺虫剤含浸ネット（２）面積の１５〜３０％にすると、ユスカリの殺虫剤含浸ネット（２）への非接触率が大きくなり、殺虫剤含浸ネット（２）の効能が損なわれるからである。【００１１】  浄化槽（６）は下水処理場の規模にもよるが通常幅３ｍ〜６ｍ、奥行き９ｍ〜１８ｍであり水面の上部に殺虫含浸ネット（２）を張ることで、ユスリカ（１）の防除を行う。
【実施例２】
【００１２】  実施例１で記したようにシート（３）を殺虫剤含浸ネット（２）の上面に設けたことにより、隙間（１０）から飛散したユスリカ（１）が再び光に誘引されて殺虫されるが、他の方法として図３に示すように殺虫剤含浸ネット（２）の下面にもシート（３）を設けることにより、浄化槽の中央部にユスリカ（１）を誘引することができるので、ネットの隙間から出ていくのを防ぐことができ、防除効果が一段と向上する。
本考案は、今まで殺虫剤含浸ネットを使用して解決できなかった点を、発光塗料を殺虫剤含浸ネット（２）の中央部に塗布するか、発光塗料を施したシート（３）を活用することによって、格段の防除効果を上げることができるのである。
【符号の説明】
【００１３】  １．ユスリカ                    ５．水面              ９．ロープ
２．殺虫剤含浸ネット            ６．浄化槽          １０．隙間
３．シート                      ７．側壁
４．下水                        ８．柵
【図１】
0003153169.tif 000003
【図２】
0003153169.tif 000004
【図３】
0003153169.tif 000005
【図４】
0003153169.tif 000006
(57)【要約】      （修正有）【課題】小さく収納することができ、携帯や持ち運びに便利な形態のツバ付き帽子を提供する。【解決手段】帽子の頭部（クラウン）を反転（裏返し）させ、ツバ部を山折に曲げ裏側に出来た空間に頭部（クラウン）材全体を畳み込む。最後に曲げ閉じたツバが芯材並びに頭部（クラウン）材の持つ反発力を抑える為、ツバ部片端の留め具「カギ部２」をツバ部他端の「受け部４」に閉じ留め小さく収納する。尚、帽子着用時は伸縮テープが邪魔にならぬようテープ先のカギ部２は同端ツバ裏の受け部３に留め置く。【選択図】図１
0003153165.tif 000002
【実用新案登録請求の範囲】
【請求項１】
ツバの左右両端にそれぞれ留め具を装備し、山折りしたツバ並びにツバ裏に畳み込まれた帽子の頭部（クラウン）を閉じ留め、小さく収納できるツバ付き帽子（キャップ）。
【考案の詳細な説明】
【技術分野】
【０００１】  本考案はツバ付き帽子（キャップ）に関するものである。
【背景技術】
【０００２】  従来のツバ付き帽子は小さく収納することが難しく、携帯や持ち運びには大変不便であった。
【考案の開示】
【考案が解決しようとする課題】
【０００３】  従来の携帯や持ち運びに不便であったツバ付き帽子を本来の機能を損なうことなく小さく収納し、携帯や持ち運びに便利にしようとするものである。
【課題を解決するための手段】
【０００４】  本考案は可曲の芯地を使ったツバ部左右両端に留め具を装備し、山折に曲げたツバ裏に帽子の頭部（クラウン）を反転し畳み込み、ツバ両端を留め具で閉じ留めることにより小さく収納できるツバ付き帽子である。
留め具はツバ片端の表面に片端を縫い止められた伸縮テープ（１）、伸縮テープの先端の裏側に装着された留め具の「カギ部」（２）、ツバの同端裏に装着された留め具の「受け部」（３）及びツバ他端の表に装着された留め具の「受け部」（４）から成る。
【考案の効果】
【０００５】  本案はツバ付き帽子の頭部（クラウン）全体がツバ裏部に畳み込まれ、ツバ自体も約半分に折り曲げ留められる為、小さく収納することが出来、携帯に便利になる。
【考案の実施するための最良の形態】
【０００６】  ツバ付き帽子の可曲のツバを山折に曲げ、反転された頭部（クラウン）をツバ裏側の空間に畳み込み、ツバ並びに頭部（クラウン）材の持つ反発力を抑える為ツバ左右両端の留め具で閉じ留め小さく収納する。
【実施例】
【０００７】  以下、添付図面に従って実施例を説明すれば、図１の帽子を図２の通り帽子の頭部（クラウン）を反転（裏返し）させ、図３の通りツバ部を山折に曲げ裏側に出来た空間に頭部（クラウン）材全体を畳み込む。最後に図４の通り曲げ閉じたツバが芯材並びに頭部（クラウン）材の持つ反発力を抑える為、ツバ部片端の留め具「カギ部（２）」をツバ部他端の「受け部（４）」に閉じ留め小さく収納するものである。
尚、帽子着用時は伸縮テープが邪魔にならぬようテープ先のカギ部（２）は同端ツバ裏の受け部（３）に留め置く。
【図面の簡単な説明】
【０００８】
【図１】本考案の斜視図である。
【図２】は頭（クラウン）部を反転（裏返し）させた帽子の斜視図である。
【図３】は頭（クラウン）部をツバ裏部に畳み込んだ斜視図である。
【図４】はツバ左右端の留め具で閉じ留めた状態の底面図である。
【符号の説明】
【０００９】１  伸縮テープ
２  伸縮テープ裏の留め具「カギ部」
３  留め具「受け部」
４  留め具「受け部」
【図１】
0003153165.tif 000003
【図２】
0003153165.tif 000004
【図３】
0003153165.tif 000005
【図４】
0003153165.tif 000006